(57)【要約】【課題】  広域ネットワークのそれぞれのアクセスポイントを介して、別々のローカルエリアネットワークに接続されている照明負荷の調光制御を行うことである。【解決手段】  ローカルエリアネットワーク１１、１２ａ〜１２ｂ内での自己のＩＰアドレスを設定するためのスイッチ２１を設け、調光制御信号を送信する送信先のゲートウエイ１５のＩＰアドレス及び送信先のゲートウエイ１７ａ〜１７ｎに接続された送信先調光制御端末装置１８ａ〜１８ｎのＩＰアドレスを有する設定テーブルを設け、さらに、外部から入力した調光制御信号を、設定テーブル２５に設定された送信先のゲートウエイ１７ａ〜１７ｎのＩＰアドレス及び送信先調光制御端末装置１８ａ〜１８ｎのＩＰアドレスを付加した調光制御信号に変換する演算手段２４を設ける。【選択図】  図１
2006140026.tif 000002
【特許請求の範囲】
【請求項１】
ローカルエリアネットワーク内での自己のＩＰアドレスを設定するためのスイッチと；
調光制御信号を送信する送信先のゲートウエイのＩＰアドレス及び送信先のゲートウエイに接続され照明負荷に調光制御信号を出力する送信先調光制御端末装置のＩＰアドレスを有する設定テーブルと；
外部から入力した調光制御信号を、前記設定テーブルに設定された送信先のゲートウエイのＩＰアドレス及び送信先調光制御端末装置のＩＰアドレスを付加した調光制御信号に変換する演算手段と；
を備えたことを特徴とする調光制御端末装置。
【請求項２】
前記設定テーブルの送信先調光制御端末装置に自己を含めたことを特徴とする請求項１記載の調光制御端末装置。
【請求項３】
前記設定テーブルの送信先調光制御端末装置が自己であるときは、外部から入力した調光制御信号をそのまま自己の照明負荷に出力することを特徴とする請求項２記載の調光制御端末装置。
【請求項４】
請求項１の調光制御端末装置と；
前記調光制御端末装置が接続されたローカルエリアネットワークを広域ネットワークに接続して前記調光制御端末装置で変換された調光制御信号を広域ネットワークに出力するゲートウエイと；
前記広域ネットワークを介して送信されてきた調光制御信号に含まれるＩＰアドレスを判別し、自己のＩＰアドレスであるときは調光制御信号を受信する受信側のゲートウエイと；
前記受信側のゲートウエイが受信した調光制御信号に含まれるＩＰアドレスを判別し、自己のＩＰアドレスであるときは調光制御信号を受信し照明負荷を調光制御する受信側の調光制御端末装置と；
を備えたことを特徴とする調光制御システム。
【請求項５】
前記受信側の調光制御端末装置は、調光制御信号が途中で中断したときは照明負荷の調光を現状に保持する実明かり保持機能を備えたことを特徴とする請求項４記載の調光制御システム。
【請求項６】
前記調光制御端末装置は、送信機能と受信機能とを切り換える切換スイッチを備えたことを特徴とする請求項４記載の調光制御システム。
【発明の詳細な説明】
【技術分野】
【０００１】
本発明は、調光制御信号を広域ネットワークを介して送信し、照明負荷の制御を行う調光制御端末装置及び調光制御システムに関する。
【背景技術】
【０００２】
例えば、舞台や劇場の照明においては、調光操作卓からの調光制御信号を照明負荷に送信して照明負荷の調光制御を行うようにしている。また、ローカルエリアネットワーク内に接続された照明負荷に調光制御信号を送信する場合には、ローカルエリアネットワーク内にＤＭＸ（Digital Multiplex）ノードを接続して、調光操作卓からの調光制御信号をＤＭＸノードを介してローカルエリアネットワークに送信し、照明負荷はローカルエリアネットワークからＤＭＸノードを介して調光制御信号を受信するようになっている。
【０００３】
ＤＭＸノードは、お互いをイーサネットケーブル（イーサネットは登録商標）により接続し、一方でＤＭＸ信号を受信し、その情報をイーサネット（登録商標）を経由して、もう一方のＤＭＸノードに送信し、受信したＤＭＸノードよりＤＭＸ信号を出力する装置である。すなわち、ＤＭＸは、舞台照明分野等で使用される機器間のデジタル伝送を行う際の電気的特性、データフォーマット、データプロトコル、コネクタ、ケーブル等の仕様を定義した規格であり、データ伝送はシリアル伝送方式で行われる。ＤＭＸ信号は、調光回路１から最大５１２までの調光レベルデータを連続的に伝送でき、ディマーレベルの０からフル（１００％）まで２５５階調に分割している。また、調光レベルのデータの伝送だけでなく、カラーチェンジャー、ムービング機器などの制御信号の伝送も行う。
【０００４】
ここで、複数のユーザ端末が接続されたアクセス網とインターネットに接続されたネットワークサービスプロバイダ（ＩＳＰ）網との間にアクセスノード装置を配置し、ユーザ端末のＩＳＰ網への接続に先立って、ユーザ認証のためにユーザ端末をユーザ認証サーバに接続することを利用し、インターネットの利用状況をユーザの属性情報に応じて分析できるようにしたものがある（特許文献１参照）。
【特許文献１】特開２００３−２５８９１１号公報
【発明の開示】
【発明が解決しようとする課題】
【０００５】
しかし、ＤＭＸノード装置では、ローカルエリアネットワーク内では使用できるが広域ネットワークに接続して使用することはできない。これは、ローカルエリアネットワーク内ではネットワークアドレスが同一であるが、広域ネットワークに接続して使用する際には、ネットワークアドレスが異なってくるからである。
【０００６】
舞台や劇場の照明においては、調光操作卓からの調光制御信号を同一のローカルエリアネットワークに接続されている照明負荷だけでなく、別のローカルエリアネットワークに接続されている照明負荷の調光制御を行えるようにすることが要請されている。
【０００７】
本発明の目的は、広域ネットワークのそれぞれのアクセスポイントを介して、別々のローカルエリアネットワークに接続されている照明負荷の調光制御を行うことができる調光制御端末装置及び調光制御システムを提供するものである。
【課題を解決するための手段】
【０００８】
請求項１の発明に係わる調光制御端末装置は、ローカルエリアネットワーク内での自己のＩＰアドレスを設定するためのスイッチと；調光制御信号を送信する送信先のゲートウエイのＩＰアドレス及び送信先のゲートウエイに接続され照明負荷に調光制御信号を出力する調光制御端末装置のＩＰアドレスを有する設定テーブルと；外部から入力した調光制御信号を、前記設定テーブルに設定された送信先のゲートウエイのＩＰアドレス及び送信先調光制御端末装置のＩＰアドレスを付加した調光制御信号に変換する演算手段と；を備えたことを特徴とする。
【０００９】
本発明および以下の各発明において、特に指定しない限り用語の定義および技術的意味は次による。スイッチは、例えばロータリスイッチ等の機械的スイッチの他、ソフトウエアや半導体等の種々のスイッチが適用でき、ローカルエリアネットワーク内での自己のＩＰアドレスを設定するものである。設定テーブルには、調光制御信号を送信する送信先のすべてのゲートウエイのＩＰアドレス及び送信先のすべての調光制御端末装置のＩＰアドレスを予め設定される。演算手段は、外部から入力した調光制御信号に、設定テーブルに設定された送信先のゲートウエイのＩＰアドレス及び送信先調光制御端末装置のＩＰアドレスを付加する。つまり、別のローカルエリアネットワークのゲートウエイのＩＰアドレス及び調光制御端末装置のＩＰアドレスを付加した調光制御信号に変換する。これにより、ネットワークアドレスの異なるローカルエリアネットワーク間においても照明負荷の調光制御を可能とする。
【００１０】
請求項２の発明に係わる調光制御端末装置は、請求項１の発明において、前記設定テーブルの送信先調光制御端末装置に自己を含めたことを特徴とする。
【００１１】
本発明は、ネットワークアドレスが異なるローカルエリアネットワーク間だけでなく、同一のローカルエリアネットワークに接続された照明負荷の調光制御も可能とするものである。
【００１２】
請求項３の発明に係わる調光制御端末装置は、請求項２の発明において、前記設定テーブルの送信先調光制御端末装置が自己であるときは、外部から入力した調光制御信号をそのまま自己の照明負荷に出力することを特徴とする。
【００１３】
本発明は、同一のローカルエリアネットワークに接続された照明負荷の調光制御をする場合には、調光制御信号の変換は必要がないので、外部から入力した調光制御信号をそのまま照明負荷に出力するようにしたものである。
【００１４】
請求項４の発明に係わる調光制御システムは、請求項１の調光制御端末装置と；前記調光制御端末装置が接続されたローカルエリアネットワークを広域ネットワークに接続して前記調光制御端末装置で変換された調光制御信号を広域ネットワークに出力するゲートウエイと；前記広域ネットワークを介して送信されてきた調光制御信号に含まれるＩＰアドレスを判別し、自己のＩＰアドレスであるときは調光制御信号を受信する受信側のゲートウエイと；前記受信側のゲートウエイが受信した調光制御信号に含まれるＩＰアドレスを判別し、自己のＩＰアドレスであるときは調光制御信号を受信し照明負荷を調光制御する受信側の調光制御端末装置と；を備えたことを特徴とする。
【００１５】
ゲートウエイは、受信側の調光制御信号変換器が接続されたローカルエリアネットワークごとに設けられる。受信側の調光制御信号変換器を識別するには、広域ネットワークを介して送信されてきた調光制御信号に含まれるゲートウエイのＩＰアドレスを判断してゲートウエイを識別し、さらに、調光制御信号に含まれる調光制御信号変換器のＩＰアドレスを判断して、ゲートウエイに接続された調光制御信号変換器を識別することで行う。これにより、ネットワークアドレスの異なるローカルエリアネットワーク間を接続した広域ネットワークにおいても、調光制御信号の送信を可能とする。
【００１６】
請求項５の発明に係わる調光制御システムは、請求項４の発明において、前記受信側の調光制御端末装置は、調光制御信号が途中で中断したときは照明負荷の調光を現状に保持する実明かり保持機能を備えたことを特徴とする。
【００１７】
本発明は、調光制御信号が途中で中断したときであっても、受信側の調光制御端末装置に接続される照明負荷の点灯状態を現状に維持できるようにしたものである。
【００１８】
請求項６の発明に係わる調光制御システムは、請求項４の発明において、前記調光制御端末装置は、送信機能と受信機能とを切り換えるスイッチを備えたことを特徴とする。
【００１９】
本発明は、送信側及び受信側の調光制御信号変換器に送信機能と受信機能との切り換えが行えるようにし、互いに情報の送受信を可能としたものである。
【発明の効果】
【００２０】
請求項１の発明によれば、ネットワークアドレスの異なるローカルエリアネットワーク間においても照明負荷の調光制御が可能となる。
【００２１】
請求項２の発明によれば、ネットワークアドレスが同一のローカルエリアネットワークに接続された照明負荷の調光制御もできる。
【００２２】
請求項３の発明によれば、ネットワークアドレスが同一のローカルエリアネットワークに接続された照明負荷に対しては、外部から入力した調光制御信号をそのまま出力できるので、調光制御端末装置の処理が軽減される。
【００２３】
請求項４の発明によれば、ネットワークアドレスの異なるローカルエリアネットワーク間を接続した広域ネットワークにおいても、容易に調光制御信号の送信が可能となり照明負荷の調光制御が可能となる。
【００２４】
請求項５の発明によれば、調光制御信号が途中で中断したときは照明負荷の調光を現状に保持するので、例えば、広域ネットワークにトラブルが発生した場合であっても照明負荷は点灯を維持できる。
【００２５】
請求項６の発明によれば、調光制御端末装置は、送信機能と受信機能とを切り換えることができるので、送信側の調光制御端末装置と受信側の調光制御端末装置とを切り換えることができる。
【発明を実施するための最良の形態】
【００２６】
図１は本発明の実施の形態に係わる調光制御システムの構成図である。図１では、放送局のローカルエリアネットワーク１１と複数のＩＰスタジオのローカルエリアネットワーク１２ａ〜１２ｎとが広域ネットワーク１３に接続され、放送局のローカルエリアネットワーク１１から複数のＩＰスタジオのローカルエリアネットワーク１２ａ〜１２ｎに調光制御信号を送信して、各々のローカルエリアネットワーク１２ａ〜１２ｎに接続された照明負荷１４ａ〜１４ｎを調光制御する調光制御システムを示している。
【００２７】
すなわち、放送局のローカルエリアネットワーク１１を送信側とし、ローカルエリアネットワーク１２ａ〜１２ｎを受信側としている。また、広域ネットワーク１３は、アクセスポイントＡＰから各ローカルエリアネットワーク１１、１２ａ〜１２ｎ毎に設けられたゲートウェイ１５、１７ａ〜１７ｎを介してネットワークを構築している。広域ネットワーク１３は、ネットワーク管理者により重複のないＩＰアドレスが各ローカルエリアネットワーク１１、１２ａ〜１２ｎ及び各端末に設定されている。
【００２８】
放送局のローカルエリアネットワーク１１には送信側のゲートウエイ１５及び調光制御端末装置１６が接続されており、一方、各々のローカルエリアネットワーク１２ａ〜１２ｎは、受信側のゲートウエイ１７ａ〜１７ｎ及び送信先調光制御端末装置１８ａ〜１８ｎが接続されている。
【００２９】
放送局のローカルエリアネットワーク１１の送信側の調光制御端末装置１６は外部から入力した調光制御信号を広域ネットワーク１３に対応した調光制御信号に変換して、変換した調光制御信号をゲートウエイ１５を介して広域ネットワーク１３に送信する。すなわち、送信元の調光制御端末装置１６は、外部から入力した調光制御信号に、送信先のゲートウエイ１７ａ〜１７ｎのＩＰアドレス及び送信先調光制御端末装置１８ａ〜１８ｎのＩＰアドレスを付加し、これらＩＰアドレスを付加した調光制御信号に変換する。そして、送信側のゲートウエイ１５を介して広域ネットワーク１３に変換した調光制御信号を送信する。
【００３０】
各々のローカルエリアネットワーク１２ａ〜１２ｎのゲートウエイ１７ａ〜１７ｎは、広域ネットワーク１３を介して送信されてきた調光制御信号に含まれるＩＰアドレスを判別し、自己のＩＰアドレスであるときは調光制御信号を受信する。そして、各々のローカルエリアネットワーク１２ａ〜１２ｎの調光制御端末装置１７ａ〜１７ｎは、受信側のゲートウエイ１７ａ〜１７ｎが受信した調光制御信号に含まれるＩＰアドレスを判別し、自己のＩＰアドレスであるときはその調光制御信号を受信し照明負荷１４ａ〜１４ｎを調光制御する。
【００３１】
図２はローカルエリアネットワーク１１、１２ａ〜１２ｂにおける調光制御端末装置１６または送信先調光制御端末装置１８ａ〜１８ｎの正面図である。送信元の調光制御端末装置１６と受信側の送信先調光制御装置１８ａ〜１８ｎは同一構成である。図２において、調光制御端末装置１６（送信先調光制御端末装置１８ａ〜１８ｎ）は、外部から調光制御信号が入力端子１９及び調光制御信号を出力する出力端子２０を有し、外部からの調光制御信号は入力端子１９を介して入力し、また、同一のローカルエリアネットワーク１１内の照明負荷に対しては出力端子２０から調光制御信号を出力する。
【００３２】
また、調光制御端末装置１６（送信先調光制御端末装置１８ａ〜１８ｎ）は、スイッチ２１及びイーサネット（登録商標）接続端子２２を有している。スイッチ２１は、ローカルエリアネットワーク１１、１２ａ〜１２ｎ内での自己の調光制御端末装置１６、１８ａ〜１８ｎのＩＰアドレスやローカルエリアネットワーク番号を設定するものである。イーサネット接続端子（イーサネットは登録商標）２２は調光制御端末装置１６（送信先調光制御端末装置１８ａ〜１８ｎ）をイーサネット（登録商標）に接続するための端子である。
【００３３】
図３は調光制御端末装置１６（送信先調光制御端末装置１８ａ〜１８ｎ）のブロック構成図である。送信元の調光制御端末装置１６と受信側である送信先調光制御装置１８ａ〜１８ｎは同一構成であるが、送信元の調光制御端末装置１６には入力端子１９を介して外部からの調光制御信号が入力されるのに対し、受信側である送信先調光制御端末装置１８ａ〜１８ｎの入力端子１９には調光制御信号は入力されない。これは、調光制御信号は広域ネットワーク１３を介して送信側調光制御端末装置１６から送信されて来るからである。
【００３４】
まず、送信元の調光制御端末装置１６について説明する。送信元の調光制御端末装置１６には、外部からの調光制御信号が入力端子１９を介して入力される。例えば、調光卓からの調光制御信号が入力端子１９を介して入力される。入力された調光制御信号は、シリアルＩＣ２３を介して演算手段２４に入力される。送信元の調光制御端末装置１６は設定テーブル２５を有しており、設定テーブル２５には、調光制御信号を送信する送信先のゲートウエイ１７ａ〜１７ｎのＩＰアドレス及び送信先のゲートウエイ１７ａ〜１７ｎに接続された送信先調光制御端末装置１８ａ〜１８ｎのＩＰアドレスが予め設定されている。
【００３５】
演算手段２４は、シリアルＩＣ２３を介して外部から入力した調光制御信号を設定テーブルに設定された情報に基づいて広域ネットワーク１３に対応した調光制御信号に変換する。
【００３６】
すなわち、図４に示すように、外部から入力した調光制御信号に、送信先のゲートウエイ１７ａ〜１７ｎのＩＰアドレス及び送信先調光制御端末装置１８ａ〜１８ｎのＩＰアドレスを付加し、これらＩＰアドレスを付加した調光制御信号に変換する。調光制御信号は、通常、最大で５１２個の調光レベルデータを含んでいるので、その調光レベルデータに、送信先のゲートウエイ１７ａ〜１７ｎのＩＰアドレス及び送信先調光制御端末装置１８ａ〜１８ｎのＩＰアドレスを付加する。そして、ＬＡＮコントローラ２６を介して送信側のゲートウエイ１５に出力する。これにより送信側のゲートウエイ１５は変換した調光制御信号を広域ネットワーク１３に送信する。
【００３７】
次に、受信側である送信先調光制御端末装置１８ａ〜１８ｎについて説明する。送信先調光制御端末装置１８ａ〜１８ｎの場合は、広域ネットワーク１３からゲートウエイ１７ａ〜１７ｎを介して調光制御信号を入力する。ゲートウエイ１７ａ〜１７ｎは入力された調光制御信号に含まれるＩＰアドレスを判別し、自己のＩＰアドレスであるときは調光制御信号を受信し、送信先調光制御端末装置１８ａ〜１８ｎのＬＡＮコントローラ２６に出力する。
【００３８】
演算手段２４は、ＬＡＮコントローラ２６が受信した調光制御信号に含まれるＩＰアドレスを判別し、自己のＩＰアドレスであるか否かを判別し、自己のＩＰアドレスであるときは調光制御信号を受信し、シリアルＩＣ２３及び出力端子２０を介して、照明負荷１４ａ〜１４ｎにその調光信号を出力し、照明負荷１４ａ〜１４ｎを調光制御する。
【００３９】
ここで、送信先調光制御端末装置１８ａ〜１８ｎの設定テーブル２５には、送信元の調光制御端末装置１６のＩＰアドレスを設定するとともに、スイッチ２１により設定されたローカルエリアネットワーク番号や送信先調光制御端末装置１８ａ〜１８ｎのＩＰアドレスが記憶される。
【００４０】
これにより、送信先調光制御端末装置１８ａ〜１８ｎは、設置されるローカルエリアネットワーク毎に、ローカルエリアネットワーク番号や自己のＩＰアドレスを設定することにより、自己のＩＰアドレスを知ることができる。また、送信元の調光制御端末装置１６は、すべての送信先調光制御端末装置１８ａ〜１８ｎのＩＰアドレスを知ることができる。
【００４１】
次に、送信元の調光制御端末装置１６の設定テーブル２５に、送信先調光制御端末装置１８ａ〜１８ｎに加えて自己を含めることも可能である。自己を含めた場合、自己の調光制御端末装置１６の照明負荷１４に調光制御信号を出力するには、外部から入力した調光制御信号をそのまま自己の照明負荷に出力する。すなわち、演算手段２４は送信先調光制御端末装置が自己であるときは、外部から入力した調光制御信号を変換せずに、そのまま出力端子２０から自己の照明負荷に出力する。これは、広域ネットワーク１３を介して調光制御信号を送信しないので調光制御信号を変換する必要がないからである。
【００４２】
一方、送信先調光制御端末装置１８ａ〜１８ｎは、広域ネットワーク１３を介して入力する調光制御信号が途中で中断したときは、新たに調光制御信号を受信するまでは照明負荷１４ａ〜１４ｎの調光を現状に保持するようにしてもよい。これにより、広域ネットワークにトラブルが発生した場合であっても照明負荷は点灯を維持できる。
【００４３】
また、調光制御端末装置１６及び送信先調光制御端末装置１８ａ〜１８ｎに、送信機能と受信機能とを切り換える切換スイッチを設けることも可能である。これにより、送信機能と受信機能とを切り換えることができるので、送信元の調光制御端末装置１６と受信側である送信先調光制御端末装置１８ａ〜１８ｎとを入れ換えることができる。さらには、イーサネット（登録商標）への接続状態を表示するＬＥＤ表示器、調光制御信号の受信状態を表示するＬＥＤ表示器、または調光制御信号の送信状態を表示するＬＥＤ表示器を設けることも可能である。これにより、調光制御端末装置１６及び送信先調光制御端末装置１８ａ〜１８ｎの動作状態の確認が容易に行える。
【００４４】
また、送信先調光制御端末装置１８ａ〜１８ｎに、送信元の調光制御端末装置１６から受信を受ける度に、アンサーを返す機能を持たせ、送信元の調光制御端末装置１６には、アンサーがあるもののみを現在接続中と認識する機能を持たせる。これにより、現在接続中の送信先調光制御端末装置１８ａ〜１８ｎに対してのみ効率的に送信制御を行うことができる。
【００４５】
さらに、受信側である送信先調光制御端末装置１８ａ〜１８ｎから定期的にｐｉｎｇを送信元の調光制御端末装置１６へ送信する機能を送信先調光制御端末装置１８ａ〜１８ｎに持たせるようにしてもよい。これにより、ゲートウェイ１５のルーティングテーブルへの再登録を促すことにより、電源投入後に自動的に広域ネットワーク１３へ接続できるようにする。
【００４６】
逆に、送信元の調光制御端末装置１６から定期的にｐｉｎｇをすべての送信先調光制御端末装置１８ａ〜１８ｎへ送信する機能を送信元の調光制御端末装置１６に持たせるようにしてもよい。これにより、ゲートウェイ１５のルーティングテーブルへの再登録を促すことにより、電源投入後に自動的に広域ネットワーク１３へ接続できるようにする。
【図面の簡単な説明】
【００４７】
【図１】本発明の実施の形態に係わる調光制御システムの構成図。
【図２】本発明の実施の形態のローカルエリアネットワークにおける調光制御端末装置の正面図。
【図３】本発明の実施の形態の調光制御端末装置のブロック構成図。
【図４】本発明の実施の形態の調光制御端末装置で変換した調光制御信号の説明図。
【符号の説明】
【００４８】
１１…ローカルエリアネットワーク、１２…ローカルエリアネットワーク、１３…広域ネットワーク、１４…、１５…ゲートウエイ、１６…調光制御端末装置、１７…ゲートウエイ、１８…送信先調光制御端末装置、１９…入力端子、２０…出力端子、２１…スイッチ、２２…イーサネット接続端子（イーサネットは登録商標）、２３…シリアルＩＣ、２４…演算手段、２５…設定テーブル、２６…ＬＡＮコントローラ
【図１】
2006140026.tif 000003
【図２】
2006140026.tif 000004
【図３】
2006140026.tif 000005
【図４】
2006140026.tif 000006